【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】
移動送信器の地理的位置を推定するための無線ロケーション・システムであって、前記移動送信器は、予め定められた広周波数帯域の範囲にある周波数で狭帯域信号を送信するよう動作し、前記予め定められた広周波数帯域は前記移動送信器が送信する個々の前記狭帯域信号の帯域幅より広く、前記システムが、
（ａ）  前記移動送信器によって送信された前記狭帯域信号を受信するための少なくとも３つの地理的に分離した受信器と、
（ｂ）  前記予め定められた広周波数帯域の範囲にある複数の周波数での狭帯域信号の前記移動送信器よる送信を行わせるための帯域幅合成手段と、
（ｃ）  送信された前記複数の狭帯域信号間の位相関係における整数サイクルのアンビギティを解決するための手段と、
（ｄ）  前記複数の狭帯域信号を使って前記移動送信器の位置を決定するための到達時間差手段と、
を備えた、無線ロケーション・システム。
【請求項２】
前記帯域幅合成手段は、第一の狭帯域周波数から第二の狭帯域周波数への前記移動送信器の切り換えを行うために、前記無線ロケーション・システムと無線移動電話切換え局の間の動作上のカップリングを含む、請求項１に記載の無線ロケーション・システム。
【請求項３】
前記帯域幅合成手段のための前記動作上カップリングは、前記移動送信器がどの狭帯域周波数を使用するかを無線ロケーション・システムが予め定めるための手段、および前記移動送信器がどの狭帯域チャネルを使用したかを前記移動電話切換え局が前記無線ロケーション・システムに報告するための手段を含む、請求項２に記載の無線ロケーション・システム。
【請求項４】
前記帯域幅合成手段によって生じる前記送信された複数の狭帯域信号間の位相関係における整数サイクルのアンビギティを解決するための前記手段は、式φ＝−ｆτ＋ｎを解くための手段を含み、φはサイクルを単位として、ｆはＨｚを単位として、またτは秒を単位として測定され、ｎは到達時間差位相測定の固有の整数サイクルのアンビギティを表す整数である、請求項１に記載の無線ロケーション・システム。
【請求項５】
前記到達時間差手段は、二重に識別されるように前記無線ロケーション・システムが較正送信器を含む、請求項１に記載の無線ロケーション・システム。
【請求項６】
前記帯域幅合成手段が、前記移動送信器からの送信の広帯域位相対周波数特性を決定するための手段を含む、請求項１に記載の無線ロケーション・システム。
【請求項７】
移動送信器の地理的位置を推定するための方法であって、前記移動送信器が、予め定められた広周波数帯域の範囲にある周波数で狭帯域信号を送信するよう動作し、前記予め定められた広周波数帯域が前記移動送信器が送信する個々の前記狭帯域信号の帯域幅より広く、該方法が、
（ａ）  前記移動送信器によって送信された前記狭帯域信号を、地理的に分離した３つの受信器サイトで受信するステップと、
（ｂ）  前記予め定められた広周波数帯域の範囲にある複数の周波数での狭帯域信号の前記移動送信器よる送信を行わせるステップと、
（ｃ）  送信された前記複数の狭帯域信号間の位相関係における整数サイクルのアンビギティを解決するステップと、
（ｄ）  前記複数の狭帯域信号を使って前記移動送信器の位置を決定するステップと、
を含む、方法。
【請求項８】
ステップ（ｂ）は、第一の狭帯域周波数から第二の狭帯域周波数への前記移動送信器の切り換えを行うるために無線移動電話切換え局の使用を含む、請求項７に記載の方法。
【請求項９】
ステップ（ｂ）は、さらに、前記移動送信器がどの狭帯域周波数を使用するか予め定め、前記移動送信器がどの狭帯域チャネルを使用したかについての報告を前記移動電話切換え局から受け取ることを含む、請求項８に記載のシステム。
【請求項１０】
ステップ（ｃ）は式
φ＝−ｆτ＋ｎ
を解くことを含み、ここでφはサイクルを単位として、ｆはＨｚを単位として、またτは秒を単位として測定され、ｎは到達時間差位相測定の固有の整数サイクルのアンビギティを表す整数である、請求項７に記載の方法。
【請求項１１】
さらに、二重に識別される到達時間差測定を得るために較正送信器を採用するステップを含む、請求項７に記載の方法。
【請求項１２】
さらに、前記移動送信器からの送信の広帯域位相対周波数特性を決定するステップを含む、請求項７に記載の方法。
【請求項１３】
予め定められた広周波数帯域の範囲にある狭帯域の信号を送信する移動送信器の位置を突き止めるための無線ロケーション・システム（ＷＬＳ）であって、前記広帯域が前記狭帯域より広く、該システムが、
狭帯域信号を受け取るための地理的に分離した３つの受信器と、
前記広帯域の範囲内の複数の狭帯域で前記移動送信器に送信させるための帯域幅合成手段と、
位相関係における整数サイクルのアンビギティを解決するための手段と、
前記移動送信器の位置を決定するためのＴＤＯＡ手段と、
を備えた無線ロケーション・システム。
【請求項１４】
前記帯域幅合成手段は、前記移動送信器を１つの狭帯域周波数範囲から第二の狭帯域周波数範囲に切り換えさせるために無線ロケーション・システムから移動切換え局（ＭＴＳＯまたはＭＳＣ）へのカップリングを含む、請求項１３に記載の無線ロケーション・システム。
【請求項１５】
前記無線ロケーション・システムは、前記移動送信器がどの狭帯域周波数を使用するかを予め定めることができ、前記ＭＳＣが、どの狭帯域が使用されたかを前記無線ロケーション・システムに報告する、請求項１４に記載の無線ロケーション・システム。
【請求項１６】
前記無線ロケーション・システムはＴＤＯＡ処理が二重に識別されるように前記送信器の較正のための手段を含む、請求項１３に記載の無線ロケーション・システム。
【請求項１７】
前記帯域幅合成手段は、広帯域位相対周波数を決定するための手段を含む、請求項１３に記載の無線ロケーション・システム。
【請求項１８】
位相関係における整数サイクルのアンビギティを解決するための前記手段は、式
φ＝ｆτ＋ｎ
を解くための手段を備え、φはサイクルを単位として、ｆはＨｚを単位として、またτは秒を単位として測定され、ｎは二重に識別される位相測定の固有の整数サイクルのアンビギティを表す整数である、請求項１３に記載の無線ロケーション・システム。
【請求項１９】
前記個々の狭帯域信号の前記帯域幅はおよそ２０ＫＨｚである、請求項１に記載の無線ロケーション・システム。
【請求項２０】
前記広周波数帯域の前記帯域幅はおよそ１２．５ＭＨｚである、請求項１９記載の無線ロケーション・システム。
【請求項２１】
前記移動送信器は、ＡＭＰＳ、ＮＡＭＰＳ、ＴＤＭＡおよびＧＳＭからなるグループから選択したエア・インターフェース・プロトコルを使用する、請求項１記載の無線ロケーション・システム。
【請求項２２】
前記個々の狭帯域信号の前記帯域幅はおよそ２０ＫＨｚである、請求項７に記載の方法。
【請求項２３】
前記広周波数帯域の前記帯域幅はおよそ１２．５ＭＨｚである、請求項２２記載の方法。
【請求項２４】
前記移動送信器は、ＡＭＰＳ、ＮＡＭＰＳ、ＴＤＭＡおよびＧＳＭからなるグループから選択したエア・インターフェース・プロトコルを使用する、請求項７記載の方法。
【請求項２５】
前記個々の狭帯域信号の前記帯域幅はおよそ２０ＫＨｚである、請求項１３に記載の無線ロケーション・システム。
【請求項２６】
前記広周波数帯域の帯域幅はおよそ１２．５ＭＨｚである、請求項２５記載の無線ロケーション・システム。
【請求項２７】
前記移動送信器は、ＡＭＰＳ、ＮＡＭＰＳ、ＴＤＭＡおよびＧＳＭからなるグループから選択したエア・インターフェース・プロトコルを使用する、請求項１３記載の無線ロケーション・システム。